(57)【要約】【課題】整地装置による未整地領域の有無を事前に把握する事ができると共に、圃場の整地性が向上する作業車両を提供する。【解決手段】走行車体と、前記走行車体に連結され、圃場に対し所定の作業が可能な作業装置と、前記圃場を整地する整地装置と、前記走行車体の位置情報を取得する位置情報取得装置と、前記位置情報取得装置により取得された前記位置情報と、所定の走行経路情報とに基づいて、前記走行車体を自動走行させる制御部と、を備え、  前記所定の走行経路情報には、前記圃場内での手動走行により直進走行の基準として取得される基準ラインの位置情報に対して、前記制御部が決定する次工程以降の目標ラインの位置情報が含まれ、  前記整地装置の横方向における整地幅が、隣り合う工程のそれぞれの前記整地幅の縁部が重なり合うように前記目標ラインの位置情報が決定されることを特徴とする。【選択図】図３
2020174676.tif 000002
【特許請求の範囲】
【請求項１】
走行車体（２）と、前記走行車体（２）に連結され、圃場に対し所定の作業が可能な作業装置（５０）と、前記圃場を整地する整地装置（４０）と、前記走行車体（２）の位置情報を取得する位置情報取得装置（３００）と、前記位置情報取得装置（３００）により取得された前記位置情報と、所定の走行経路情報とに基づいて、前記走行車体を自動走行させる制御部（４００）と、を備え、
前記所定の走行経路情報には、前記圃場内での手動走行により直進走行の基準として取得される基準ラインの位置情報に対して、前記制御部（４００）が決定する次工程以降の目標ラインの位置情報が含まれ、
前記整地装置（４０）の横方向における整地幅が、隣り合う工程のそれぞれの前記整地幅の縁部が重なり合うように前記目標ラインの位置情報が決定されることを特徴とする作業車両。
【請求項２】
前記重なり合う距離が可変である、ことを特徴とする請求項１記載の作業車両。
【請求項３】
前記目標ラインの位置情報は、前記縁部同士に所定の隙間が生じる様に決定され、前記所定の隙間の距離が可変であることを特徴とする請求項１または２に記載の作業車両。
【請求項４】
前記重なり合う距離及び、前記所定の隙間の距離を可変することができる可変操作部（４３）を設け、
前記走行車体（２）操縦する操舵ハンドル（２４）の近傍に前記可変操作部（４３）を配置したことを特徴とする請求項３に記載の作業車両。
【発明の詳細な説明】
【技術分野】
【０００１】
本発明は、作業車両に関する。
【背景技術】
【０００２】
従来、圃場で苗の植付け等の作業を行う際に用いる苗移植機等の作業車両には、ＧＰＳを搭載し操舵部材を直進位置に保持して自動直進走行を行ない、機体の進行方向を自動的に修正することができる自動操舵装置が設けられている（例えば、特許文献１参照）。
【先行技術文献】
【特許文献】
【０００３】
【特許文献１】特開２０１６−２４５４１号公報
【発明の概要】
【発明が解決しようとする課題】
【０００４】
しかしながら、従来の作業車両では、基準ラインの位置情報と植付装置の苗の植付幅とを利用して、次工程以降の自動走行ラインとなる目標ラインの位置情報が決められていたため、各工程間における整地装置による未整地領域の有無を事前に把握出来なかった。
【０００５】
本発明は、上述した従来の作業車両の課題に鑑みて、整地装置による整地幅を利用して次工程以降の目標ラインの位置情報を決定するので、整地装置による未整地領域の有無を事前に把握することが出来得ることを目的とする。
【課題を解決するための手段】
【０００６】
走行車体（２）と、前記走行車体（２）に連結され、圃場に対し所定の作業が可能な作業装置（５０）と、前記圃場を整地する整地装置（４０）と、前記走行車体（２）の位置情報を取得する位置情報取得装置（３００）と、前記位置情報取得装置（３００）により取得された前記位置情報と、所定の走行経路情報とに基づいて、前記走行車体を自動走行させる制御部（４００）と、を備え、
前記所定の走行経路情報には、前記圃場内での手動走行により直進走行の基準として取得される基準ラインの位置情報に対して、前記制御部（４００）が決定する次工程以降の目標ラインの位置情報が含まれ、
前記整地装置（４０）の横方向における整地幅が、隣り合う工程のそれぞれの前記整地幅の縁部が重なり合うように前記目標ラインの位置情報が決定されることを特徴とする作業車両である。
【０００７】
第２の本発明は、
前記重なり合う距離が可変である、ことを特徴とする請求項１記載の作業車両である。
【０００８】
第３の本発明は、
前記目標ラインの位置情報は、前記縁部同士に所定の隙間が生じる様に決定され、前記所定の隙間の距離が可変であることを特徴とする請求項１または２に記載の作業車両である。
【０００９】
第４の本発明は、
前記重なり合う距離及び、前記所定の隙間の距離を可変することができる可変操作部（４３）を設け、
前記走行車体（２）操縦する操舵ハンドル（２４）の近傍に前記可変操作部（４３）を配置したことを特徴とする請求項３に記載の作業車両である。
【発明の効果】
【００１０】
第１の本発明により、隣り合う工程のそれぞれの整地幅の縁部が重なり合う様に目標ラインの位置情報を決定する構成であれば、圃場の整地性が向上すると共に、圃場内の水が均一に供給され易くなるため苗の生育にムラが生じ難い。
【００１１】
第２の本発明により、第１の本発明の効果に加えて、例えば圃場の特性に応じて、重なり合う距離を調整出来るので、より効果的に苗の育成の向上を図ることが出来る。
【００１２】
第３の本発明により、第１乃至第２の本発明の効果に加えて、隣り合う工程のそれぞれの整地幅の縁部同士に所定の隙間が生じる様に目標ラインの位置情報を決定する構成であれば、整地幅の縁部が重なり合う構成の場合に比べて、隣り合う工程間の隙間の風通しが良くなり苗の生育の向上を図れる。また、例えば圃場の特性に応じて、所定の隙間の距離を調整出来るので、より効果的に苗の育成の向上を図ることが出来る。
【００１３】
第４の本発明により、第３の本発明の効果に加えて、可変操作部（４３）より、圃場の状況に応じて調整すれば、未整地領域の発生が防止出来て圃場の整地性が向上し植付精度が向上すると共に、圃場内の水が均一に供給され易くなるため苗の生育にムラが生じ難くすることができる。また、可変操作部（４３）を調整すれば、整地幅の縁部が隣り合う列間の隙間が広くなり、風通しが良くなって苗の生育の向上を図れる。また、作業者が手動で調整することができる。
【図面の簡単な説明】
【００１４】
【図１】本発明にかかる実施の形態におけるロボット乗用田植機の左側面図
【図２】本実施の形態におけるロボット乗用田植機の平面図
【図３】本実施の形態のロボット乗用田植機における制御部と各種装置及び各種センサ等との接続関係を示すブロック図
【図４】本実施の形態の圃場におけるロボット乗用田植機の走行経路、及び作業手順についての概要を説明するための圃場の平面模式図
【図５】本実施の形態の圃場の各辺に沿ったマニュアル走行に基づいて、圃場の形状情報を取得する作業手順等についての概要を説明するための圃場の平面模式図
【発明を実施するための形態】
【００１５】
以下、本発明の作業車両の一実施の形態にかかる８条植えのロボット乗用田植機について、図面を用いて説明する。
【００１６】
図１及び図２は本実施の形態にかかるロボット乗用田植機の左側面図と平面図である。
【００１７】
本実施の形態のロボット乗用田植機１は、図１、図２に示す様に、走行車体２の後側に昇降リンク装置３０を介して植付装置５０が昇降可能に装着され、走行車体２の後部上側に施肥装置３のホッパー３ａが設けられている。昇降リンク装置３０は、上側リンクアーム３１と、下側リンクアーム３２とを備えた平行リンクである。
【００１８】
また、植付装置５０の下方には、施肥装置３の施肥ホース（図示省略）から供給されてくる肥料を、作溝部（図示省略）で圃場に形成される溝部に投入した後、覆土する覆土部９０（図３参照）を備えている。また、覆土部９０に設けられた覆土プレート駆動装置９１は、制御部４００からの指令に応じて覆土部９０の覆土プレート（図示省略）を作動させる様に構成されており、これにより覆土量が変更可能となる構成である。
【００１９】
走行車体２は、駆動輪である左右一対の前輪４、４及び左右一対の後輪５、５を備えた四輪駆動車両ある。
【００２０】
また、本実施の形態のロボット乗用田植機１には、圃場の水素イオン指数（ｐＨ値）を測定するｐＨ測定器８０（図３参照）を備えている。具体的には、ｐＨ測定器８０の電極センサが、ロボット乗用田植機１の左右一対の前輪４のリム部に対向配置されている。
【００２１】
本実施の形態のロボット乗用田植機１の施肥作業中において、制御部４００（図３参照）が、ｐＨ測定器８０（図３参照）による圃場のｐＨ値（水素イオン指数）の測定結果から、圃場のある測定位置におけるｐＨ値が予め定められた閾値以上であると判定した場合、その測定位置が還元作用の高い（即ち、排水性の悪い）場所であると判定して、覆土プレート駆動装置９１に対して指令を出して、覆土プレートを作動させて、覆土の量を所定基準より少なくする方向に変更させる構成である。これにより、還元作用が高いと判定された測定位置の排水性を高め、酸化を促し土質を改善することが出来る。
【００２２】
また、トランスミッションケース６の背面部に車体メインフレーム７の前端部が固着されており、他方、その車体メインフレーム７の後端左右両端部には、昇降リンク装置３０を回動可能に支持する左右一対のリンク支持ステー１０が固定されている。
【００２３】
エンジン２０は車体メインフレーム７の上に搭載されており、該エンジン２０の回転動力が、ベルト伝動装置１２及びＨＳＴ（静油圧式無段階変速機）１３を介してトランスミッションケース６に伝達される。トランスミッションケース６に伝達された回転動力は、トランスミッションケース６内の変速機構（副変速装置等）により変速された後、走行動力と外部取出動力に分離して取り出される。そして、走行動力は、前輪４、４、及び左右後輪５、５を駆動する。
【００２４】
また、トランスミッションケース６から取出された外部取出動力は、植付クラッチ（図示省略）を介して植付伝動軸２１によって植付装置５０へ伝動される。
【００２５】
また、図１、図２に示す様に、植付装置５０は、第１苗植付部５５ａ、第２苗植付部５５ｂ、第３苗植付部５５ｃ、第４苗植付部５５ｄを備え、更にそれぞれの苗植付部には、苗を植付ける爪を有する植付具５１が、左右両側に２つずつ回動可能に設けられ、合計８条の苗が圃場に植え付けられる構成である。
【００２６】
また、図１、図２に示す通り、植付装置５０の下部には、中央位置と、左右両側の位置に、それぞれフロート５３が設けられている。これらフロート５３が圃場の泥面上を整地しつつ滑走し、その整地跡に、植付具５１により苗が圃場に植え付けられる。
【００２７】
また、植付装置５０の下部には、平面視で略門型形状に配置されたローター４１を、左側後輪ギヤケース１８Ｌから取り出される動力で、自在継手４０ａを介して回動させることにより、圃場面を整地する整地ローター４０が設けられている。
【００２８】
また、整地ローター４０は、植付装置５０に対して、昇降モータ（図示省略）の作動により昇降可能に取り付けられており、ローター４１の回動の入り切りは、左側後輪ギヤケース１８Ｌに設けられた所定のクラッチ（図示省略）の入り切り動作によって行われる。
【００２９】
また、操縦座席２２の前方には操縦ハンドル２４が設けられている。操縦ハンドル２４の右側又は左側には、整地ローター４０を入り切りするための整地ローター入／切スイッチ４２（図３参照）が設けられている。整地ローター入／切スイッチ４２を「入り」操作すると、後述する制御部４００（図３参照）からの指令により、整地ローター４０が圃場面に降下すると共に、ローター４１が回動を開始する構成である。また、整地ローター入／切スイッチ４２を「切り」操作すると、後述する制御部４００（図３参照）からの指令により、整地ローター４０が圃場面から上昇すると共に、ローター４１が回動を停止する構成である。
【００３０】
また、操縦ハンドル２４の右側又は左側には、走行車体２の前進走行と後進走行の切り替え及び走行速度などを設定するＨＳＴ操作レバー（図示省略）、植付装置５０の昇降及び植付作業の入切を操作する植付作業レバー１４（図２参照）等の各種レバーが設けられている。
【００３１】
なお、本実施の形態のロボット乗用田植機１では、走行車体２が旋回したり、後進走行した場合には、それらの動作に連動して昇降リンク装置３０が上昇することにより植付装置５０が上昇すると共に植付作業が停止される構成である。
【００３２】
また、操縦ハンドル２４の下方には、各種操作ボタン（図示省略）と、後述する自動運転モードの入り切りを行うための自動運転モード入／切スイッチ６１（図３参照）と、各種メータや表示部を配置したメータパネル６０（図２参照）が設けられている。
【００３３】
また、本実施の形態のロボット乗用田植機１は、図３に示す様に、送受信装置７０と、自動操舵装置２００と、位置情報取得装置３００等と、その他、各種センサ等を備えており、これらは後述する制御部４００（図３参照）に電気的に接続されている。
【００３４】
図３は、ロボット乗用田植機１における制御部４００と各種装置及び各種センサ等との接続関係を示すブロック図である。
【００３５】
送受信装置７０は、圃場の畦に居て、無人運転中のロボット乗用田植機１による自動植付作業を監視している作業者が、必要に応じて、作業者が携帯しているリモコン装置７１（図３）を用いて当該ロボット乗用田植機１を遠隔操作する際の信号の送受信を行うための装置である。
【００３６】
自動操舵装置２００は、操縦ハンドル２４を自動で操作して、走行車体２を直進方向に維持したり、旋回させたりすることが可能な構成である。
【００３７】
即ち、自動操舵装置２００は、任意の回転力を自動で操縦ハンドル２４に付与することにより、操縦ハンドル２４を回転させる操舵モータ２１０と、操縦ハンドル２４の回転角度（ハンドル切れ角）を検知するハンドルポテンショメータ２２０と、を有している。
【００３８】
また、位置情報取得装置３００は、ＧＮＳＳ（Ｇｌｏｂａｌ  Ｎａｖｉｇａｔｉｏｎ  Ｓａｔｅｌｌｉｔｅ  Ｓｙｓｔｅｍ）に基づいて地球上でのロボット乗用田植機１の位置情報（即ち、座標情報）を取得する構成であり、人工衛星からの信号を所定間隔で受信する為の受信アンテナ３１０を備え、位置情報取得装置３００により取得された位置情報は、制御部４００に送られる構成である。
【００３９】
制御部４００に送られた位置情報や、後述する、当該位置情報に基づいて得られた圃場の形状情報や、圃場における自動植付作業時においてロボット乗用田植機１が走行すべき目標走行経路の位置情報（位置座標）等は、メモリ部４１０（図３参照）に記録可能に構成されている。また、圃場の形状情報や、目標走行経路の位置情報等は、後述する演算部４２０により算出される。
【００４０】
また、受信アンテナ３１０は、図１、図２に示す通り、正面視で門型のアンテナ固定部材３２０の上面中央部に固定されており、アンテナ固定部材３２０の左右の下端部３２１Ｌ、３２１Ｒは、フロアステップ２３の前端部左右両側面に固定されている。
【００４１】
なお、本実施の形態の走行車体２は、本発明の走行車体の一例にあたり、本実施の形態の植付装置５０は、本発明の作業装置の一例にあたる。また、本実施の形態の整地ローター４０は、本発明の整地装置の一例にあたり、本実施の形態の整地ローター入／切スイッチ４２は、本発明の整地装置入／切スイッチの一例にあたる。また、本実施の形態の位置情報取得装置３００は、本発明の位置情報取得装置の一例にあたり、本実施の形態の制御部４００は、本発明の制御部の一例にあたる。また、本実施の形態の施肥装置３は、本発明の施肥装置の一例にあたる。また、本実施の形態のｐＨ測定器８０は、本発明の検知装置の一例にあたり、本実施の形態の覆土部９０は、本発明の覆土部の一例にあたる。
【００４２】
以上の構成において、本実施の形態のロボット乗用田植機１を用いた自動運転の動作について、主として図４、図５を用いて説明する。
【００４３】
まず、図４を用いて、ロボット乗用田植機１の走行経路、及び作業手順についての概要を説明する。
【００４４】
図４は、圃場におけるロボット乗用田植機１の走行経路、及び作業手順についての概要を説明するための圃場の平面模式図である。
【００４５】
図５は、圃場の各辺に沿ったマニュアル走行（手動走行）に基づいて、圃場の形状情報を取得する作業手順等についての概要を説明するための圃場の平面模式図である。
【００４６】
本実施の形態の圃場５００は、四方を第１辺５０１、第２辺５０２、第３辺５０３、及び第４辺５０４で囲まれた、略長方形状の圃場である。
【００４７】
また、本実施の形態では、ロボット乗用田植機１に対する苗や肥料の補給作業は、圃場５００の第４辺５０４側にて行うため、ロボット乗用田植機１が自動運転中は、リモコン装置７１を携帯した作業者は、第４辺５０４側に待機して、その動作を監視しているものとする。
【００４８】
また、本実施の形態では、圃場５００の第４辺５０４側の畦が苗や肥料の補給作業を行うものであることを事前に設定することが出来る設定スイッチ（図示省略）が設けられており、その設定スイッチからの設定情報を受け付けた制御部４００は、その情報をメモリ部４１０に記録する構成である。なお、当該設定スイッチは、操作性の向上を図るために、操縦ハンドル２４の周辺又は、メータパネル６０（図２参照）周辺に設けられている。
【００４９】
本実施の形態では、まず、ロボット乗用田植機１に作業者が乗車して、自動運転モード入/切スイッチ６１を「入り」にして、作業者が操縦ハンドル２４を操作することで、圃場５００の第１辺５０１、第２辺５０２及び第３辺５０３に沿ってＡ工程５１１、Ｂ工程５１２、及びＣ工程５１３をマニュアル走行しながら、植付け作業を行うことなく、整地ローター４０を作動させて枕地の整地作業を行う。
【００５０】
このＡ工程５１１〜Ｃ工程５１３を、整地ローター入／切スイッチ４２の「入り」操作と「切り」操作を適宜繰り返しながらマニュアル走行することにより、制御部４００は、圃場５００の形状情報の特定に必要な圃場の四隅に関する位置情報と、目標ラインの算出に必要な基準ラインの位置情報とを取得する。また、制御部４００は、これら取得した各種の位置情報に基づいて、自動旋回動作可能な自動走行経路情報（第２列目Ｌ２以降の目標ラインの位置情報、第１植付開始ラインＬＵ１と第２植付開始ラインＬＵ２との位置情報等を含む）を演算により求め、それらの情報をメモリ部４１０に格納する。
【００５１】
次に、圃場５００の第４辺５０４に沿ったＤ工程５１４（図４では、破線で示した）を植付け作業を行うことなくマニュアル走行して、第２列目Ｌ２の第１植付開始位置Ｌ２Ｓ（第１植付開始ラインＬＵ１と第２列目Ｌ２との交点）の手前で時計回りに旋回して第１植付開始位置Ｌ２Ｓで走行を停止させた後、作業者はロボット乗用田植機１から降りて、第４辺５０４側の畦に移動する。
【００５２】
なお、本実施の形態のロボット乗用田植機１において、作業者がＤ工程５１４をマニュアル走行する際は、整地ローター入／切スイッチ４２は、「切り」状態に設定されているものとするが、これに限定されるものではない。
【００５３】
その後、作業者は、第４辺５０４の畦の位置から自ら携帯しているリモコン装置７１を操作して、ロボット乗用田植機１に対して無人の自動運転を開始させる指令を送信する。
【００５４】
送受信装置７０を介して、自動運転開始指令を受信した制御部４００は、メモリ部４１０に格納されている自動走行経路情報に基づいて、自動操舵装置２００等に指令を出して、第２列目Ｌ２〜第ｎ列目Ｌｎにおける旋回を含む走行動作と植付作業とを、第４辺５０４の畦側において行われる肥料や苗の補給作業等の例外を除き、無人のまま自動で行わせる。
【００５５】
次に、第ｎ列目Ｌｎの自動植付作業が終了した後、制御部４００は、引き続き、メモリ部４１０に記録されている自動走行経路情報に基づいて、自動操舵装置２００等に指令を出して、圃場５００の枕地（第１列目Ｌ１と、第２辺５０２に概ね平行な列と、第（ｎ＋１）列目Ｌｎ＋１と、第４辺５０４に概ね平行な列と含む）を無人のまま又は作業者が乗車して自動運転により走行させながら自動植付作業を行わせた後、自動運転を終了する。なお、制御部４００は、第１列目Ｌ１の自動走行については、後述する第１列目の基準ラインの位置情報を利用し、第（ｎ＋１）列目Ｌｎ＋１の自動走行については、第（ｎ＋１）列目Ｌｎ＋１に対応する目標ラインの位置情報を利用する。無人の場合は、作業者によるリモコン装置７１からの指令により自動運転を終了する。
【００５６】
なお、枕地の植付作業は、全部又は一部の走行・旋回工程においてマニュアルにより実行しても良い。
【００５７】
ここで、図４に示す、第１植付開始ラインＬＵ１は、第２列目Ｌ２〜第ｎ列目Ｌｎの第４辺５０４側における、植付開始位置と植付停止位置の基準位置を示すための直線であり、第２植付開始ラインＬＵ２は、第２列目Ｌ２〜第ｎ列目Ｌｎの第２辺５０２側における、植付停止位置と植付開始位置の基準位置を示すための直線である。これらのラインの演算部４２０による設定については更に後述する。
【００５８】
次に、主として図５を用いて、Ａ工程５１１〜Ｃ工程５１３において作業者が乗車してマニュアル走行することにより、制御部４００が圃場５００の形状情報、及び自動走行経路情報を演算により取得する動作を中心に更に説明する。
【００５９】
作業者は、Ａ工程５１１（図４参照）において、ロボット乗用田植機１の整地ローター４０のローター４１の左端部が、圃場５００の第１辺５０１と第４辺５０４の隅部の位置に、出来る限り近づく様にロボット乗用田植機１を配置する。
【００６０】
作業者は、上述した様に、自動運転モード入/切スイッチ６１を「入り」にした後、整地ローター入／切スイッチ４２（図３参照）を「入り」状態に設定し、植付け作業を行うことなくＡ工程５１１におけるマニュアル走行を開始する。制御部４００は、整地ローター入／切スイッチ４２（図３参照）からの「入り」状態を示す信号を受け付けて、整地ローター４０を圃場面に降下させると共にローター４１の回動を開始させる。
【００６１】
なお、本実施の形態におけるマニュアル走行は、作業者が、ロボット乗用田植機１を圃場５００の各辺の凹凸に沿って走行させるものであり、その走行軌跡が直線的なものになるとは限らない。
【００６２】
また、自動運転モード入/切スイッチ６１が「入り」に設定されており自動運転モードが「入り」状態にある場合において、整地ローター入／切スイッチ４２が「入り」に設定されたことを示す信号を受け付けた制御部４００は、その信号を本来の意味以外に始点取得トリガー信号でもあると判定し、演算部４２０に対して、その判定の直後又は直前において位置情報取得装置３００により取得されている受信アンテナ３１０の最新の位置情報（座標値）と、後述する所定の後端位置変換定数とを利用して、整地ローター４０のローター４１の左端部の位置情報（座標値）を求めさせ、その演算結果を第１辺始点Ｐ１Ｓ（図５参照）の位置情報（座標値）として、メモリ部４１０に格納する。
【００６３】
なお、上記信号を始点取得トリガー信号であると判定した直前又は直後において位置情報取得装置３００により取得されている受信アンテナ３１０の位置（図５のＡ工程アンテナ始点ＰＡ１Ｓ参照）の最新の位置情報もメモリ部４１０に記録する構成であり、制御部４００が、後述する終点取得トリガー信号の判定をした場合についても、同様に、受信アンテナ３１０の位置（図５のＡ工程アンテナ終点ＰＡ１Ｅ参照）の最新の位置情報をメモリ部４１０に記録する構成である。
【００６４】
ロボット乗用田植機１を圃場５００の第１辺５０１の凹凸に沿ってマニュアル走行させることでＡ工程５１１の終端部までくると、作業者は、ロボット乗用田植機１の走行車体２の前端部２ａ（図１参照）が、圃場５００の第２辺５０２の直前まで達した位置でロボット乗用田植機１の走行を停止させ、整地ローター入／切スイッチ４２を「切り」状態に設定するので、これに連動して制御部４００からの指令により、整地ローター４０は回動を停止すると共に、所定高さまで上昇する。
【００６５】
また、自動運転モード入/切スイッチ６１が「入り」に設定されており自動運転モードが「入り」状態にある場合において、整地ローター入／切スイッチ４２が「切り」に設定されたことを示す信号を受け付けた制御部４００は、その信号を本来の意味以外に終点取得トリガー信号でもあると判定し、演算部４２０に対して、その判定の直後又は直前において位置情報取得装置３００により取得されている受信アンテナ３１０の最新の位置情報（座標値）と、後述する所定の前端位置変換定数とを利用して、ロボット乗用田植機１の後述する左前端仮想点の位置情報（座標値）を求めさせ、その演算結果を第１辺終点Ｐ１Ｅ（図５参照）の位置情報（座標値）として、メモリ部４１０に格納する。
【００６６】
ここで、所定の後端位置変換定数とは、受信アンテナ３１０の位置における位置情報（座標値）を用いて、整地ローター４０のローター４１の左端部の位置（即ち、上記の第１辺始点Ｐ１Ｓ（図５参照）の位置）における位置情報（座標値）を演算で求めるための変換定数であり、ロボット乗用田植機１の構成及びサイズによって両者の位置関係は予め確定した値であり、メモリ部４１０に予め格納されているものとする。
【００６７】
また、所定の前端位置変換定数とは、受信アンテナ３１０の位置における位置情報（座標値）を用いて、ロボット乗用田植機１の走行車体２の前端部２ａ（図１参照）を通り、走行車体２の左右方向に平行に伸びる第１仮想直線と、整地ローター４０のローター４１の左端部の位置を通り、走行車体２の前後方向に平行に伸びる第２仮想直線との、平面視における交点（これを、左前端仮想点と称す）の位置（即ち、第１辺終点Ｐ１Ｅ（図５参照）の位置）における位置情報（座標値）を演算で求めるための変換定数であり、ロボット乗用田植機１の構成及びサイズによって両者の位置関係は予め確定した値であり、メモリ部４１０に予め格納されているものとする。
【００６８】
上記の様に、ロボット乗用田植機１を圃場５００の隅部に出来る限り近づく様にマニュアルで操縦して、第１辺始点Ｐ１Ｓ（図５参照）の位置情報と、第１辺終点Ｐ１Ｅ（図５参照）の位置情報とを得ることにより、これらの位置情報を圃場５００の第１辺５０１の両端部の位置情報の近似値として利用することが出来る。
【００６９】
また、制御部４００は、Ａ工程５１１のマニュアル走行におけるＡ工程アンテナ始点ＰＡ１Ｓ（図５参照照）の位置情報（座標点）と、Ａ工程５１１のマニュアル走行におけるＡ工程アンテナ終点ＰＡ１Ｅ（図５参照照）の位置情報（座標点）とを利用して、第１列目の基準ラインを算出しメモリ部４１０に記録する構成である。
【００７０】
また、上記の様に、自動運転モードが「入り」状態にある場合、既存のスイッチである、整地ローター入／切スイッチ４２の「入り」、「切り」の操作が、その操作の本来の意味以外に、始点の位置情報の取得、終点の位置情報の取得のトリガー信号としての意味をも兼ねている構成としたことにより、始点と終点の位置情報を取得するための専用のスイッチやレバー等を必要とせず部品点数の削減を図ることが出来る。
【００７１】
次に、作業者は、Ａ工程５１１での整地作業を終了して、整地ローター４０を上昇させたまま時計回りに旋回操作し、Ｂ工程５１２において上述したＡ工程と同様の操作を実行する。
【００７２】
即ち、作業者が、Ｂ工程５１２において、上述したＡ工程５１１での操作と同じ操作をしてマニュアル走行することにより、整地ローター入／切スイッチ４２（図３参照）から「入り」に設定されたことを示す信号を受け付けた制御部４００は、上記と同様に、その信号を始点取得トリガー信号でもあると判定し、整地ローター４０のローター４１の左端部の位置情報（座標値）を第２辺始点Ｐ２Ｓ（図５参照）の位置情報（座標値）として演算し、メモリ部４１０に格納し、更に、整地ローター入／切スイッチ４２を「切り」状態に設定されたことを示す信号を受け付けた制御部４００は、上記と同様に、その信号を終点取得トリガー信号でもあると判定し、ロボット乗用田植機１の上述した左前端仮想点（図示省略）の位置情報（座標値）を第２辺終点Ｐ２Ｅ（図５参照）の位置情報（座標値）として、メモリ部４１０に格納する。
【００７３】
また、制御部４００は、Ｂ工程５１２のマニュアル走行において、Ａ工程の場合と同様に、少なくとも、始点取得トリガー信号を受信した際に取得された受信アンテナ３１０の位置（図５のＢ工程アンテナ始点ＰＢ２Ｓ参照）の最新の位置情報と、終点取得トリガー信号を受信した際に取得された受信アンテナ３１０の位置（図５のＢ工程アンテナ終点ＰＢ２Ｅ参照）の最新の位置情報とを、メモリ部４１０に記録する構成である。
【００７４】
また、制御部４００は、Ｂ工程５１２のマニュアル走行におけるＢ工程アンテナ始点ＰＢ２Ｓ（図５参照照）の位置情報（座標点）と、Ｂ工程５１２のマニュアル走行におけるＢ工程アンテナ終点ＰＢ２Ｅ（図５参照照）の位置情報（座標点）とを利用して、第２辺５０２に沿った枕地を自動走行する際に利用する第２辺の枕地の基準ラインを算出しメモリ部４１０に記録する構成である。
【００７５】
また、Ｂ工程５１２からＣ工程５１３に移動した後についても、上記と同様に、制御部４００は、始点取得トリガー信号を得て、第３辺始点Ｐ３Ｓ（図５参照）の位置情報（座標値）を演算しメモリ部４１０に格納し、終点取得トリガー信号を得て、第３辺終点Ｐ３Ｅ（図５参照）の位置情報（座標値）として、メモリ部４１０に格納する。
【００７６】
制御部４００は、演算部４２０において、上記の様にしてメモリ部４１０に格納された第１辺始点Ｐ１Ｓ（図５参照）の位置情報、第１辺終点Ｐ１Ｅ（図５参照）の位置情報、第２辺始点Ｐ２Ｓ（図５参照）の位置情報、第２辺終点Ｐ２Ｅ（図５参照）の位置情報、第３辺始点Ｐ３Ｓ（図５参照）の位置情報、及び第３辺終点Ｐ３Ｅ（図５参照）の位置情報を用いて、圃場５００の形状情報を演算させる。
【００７７】
即ち、演算部４２０は、第１辺始点Ｐ１Ｓ（図５参照）の位置情報と、第１辺終点Ｐ１Ｅ（図５参照）の位置情報とから、第１辺始点Ｐ１Ｓと第１辺終点Ｐ１Ｅとを通る第１直線５２１（図５参照）の位置情報を求め、同様に、第２辺始点Ｐ２Ｓと第２辺終点Ｐ２Ｅとを通る第２直線５２２の位置情報を求め、また同様に、第３辺始点Ｐ３Ｓと第３辺終点Ｐ３Ｅとを通る第３直線５２３の位置情報を求め、また同様に、第１辺始点Ｐ１Ｓと第３辺終点Ｐ３Ｅとを通る第４直線５２４の位置情報を求める。
【００７８】
この様にして、制御部４００により、第１直線５２１〜第４直線５２４により四方を囲まれた四角形の形状が圃場５００の形状情報として近似的に認定される。
【００７９】
なお、制御部４００は、第４直線５２４の位置情報から所定距離（整地幅ＷＲの半分の距離に所定の余裕度を加算した距離）隔てた平行な直線の位置情報を利用して、第４辺５０２に沿った枕地を自動走行する際に利用する第４辺の枕地の基準ラインを算出しメモリ部４１０に記録する構成である。
【００８０】
上述した様に、本実施の形態によれば、圃場５００の第１辺５０１〜第３辺５０３の各辺において、ロボット乗用田植機１を極力隅部に近づけて始点と終点を取得出来るので、自動旋回の旋回開始位置及び旋回終了位置の基準となる第１植付開始ラインＬＵ１と第２植付開始ラインＬＵ２とを適切に設定することで、自動植付の精度向上を図ることが出来る。
【００８１】
なお、上記構成によれば、第１辺始点Ｐ１Ｓ（図５参照）と、第１直線５２１と第２直線５２２の第１交点と、第２直線５２２と第３直線５２３の第２交点と、第３辺終点との、合計４つの点の位置情報が、演算部４２０において同時に取得される。従って、本実施の形態の圃場５００の形状情報は、第１辺始点Ｐ１Ｓ（図５参照）と第１交点とを繋ぐ第１線分と、第１交点と第２交点を繋ぐ第２線分と、第２交点と第３辺終点とを繋ぐ第３線分と、第３辺終点と第１辺始点Ｐ１Ｓとを繋ぐ第４線分により形成された四角形として認定しても良い。
【００８２】
なお、圃場５００の四隅の位置情報として取得した、第１辺５０１〜第３辺５０３のそれぞれの辺における始点と終点の位置情報については、圃場の形状やロボット乗用田植機１の隅部への配置状況等によって、第１辺終点と第２辺始点との位置情報は一致する場合もあるし異なる場合もあり、また、第２辺終点と第３辺始点との位置情報は一致する場合もあるし異なる場合もある。
【００８３】
上記の通り、本実施の形態では、圃場５００の第１辺５０１〜第４辺５０４は、実際には凹凸部が存在するかもしれないが、上述した通り、第１辺５０１〜第３辺５０３において取得した始点と終点の位置情報からそれらを通る直線（又は、線分）、即ち、第１直線５２１〜第４直線５２４（又は、第１線分〜第４線分）で囲まれる形状により圃場５００の形状を近似的に認定する構成としている。
【００８４】
次に、制御部４００において、上述した圃場の形状情報に基づいて、第２列目以降の自動走行経路情報を演算により求める動作について説明する。
【００８５】
制御部４００は、上述した通り、Ａ工程５１１のマニュアル走行において、少なくとも、始点取得トリガー信号を受信した際に取得された受信アンテナ３１０の位置（図５のＡ工程アンテナ始点ＰＡ１Ｓ参照）の最新の位置情報と、終点取得トリガー信号を受信した際に取得された受信アンテナ３１０の位置（図５のＡ工程アンテナ終点ＰＡ１Ｅ参照）の最新の位置情報とを、メモリ部４１０に格納している。
【００８６】
そこで、制御部４００は、上述した様にメモリ部４１０に格納されている、Ａ工程５１１のマニュアル走行におけるＡ工程アンテナ始点ＰＡ１Ｓ（図５参照照）の位置情報、即ち、始点取得トリガー信号を受信した時の受信アンテナ３１０の位置の座標点と、Ａ工程５１１のマニュアル走行におけるＡ工程アンテナ終点ＰＡ１Ｅ（図５参照照）の位置情報、即ち、終点取得トリガー信号を受信した時の受信アンテナ３１０の位置の座標点と、を通る直線を第１列目の基準ラインとして算出し、第２列目Ｌ２〜第（ｎ＋１）列目Ｌｎ＋１の自動走行経路を、当該基準ラインに平行で、且つ、第２列目Ｌ２〜第（ｎ＋１）列目Ｌｎ＋１の内の隣り合う列のそれぞれにおける整地ローター４０による整地幅を利用した互いに所定の距離を隔てた複数の直線（目標ライン）として算出する。なお、第１列目の基準ラインの位置情報と、目標ラインの位置情報は、メモリ部４１０に記録される。
【００８７】
上述した様に、本実施の形態のロボット乗用田植機１では、圃場外において作業者が操作する場面があり得ない整地ローター入／切スイッチ４２からの入り信号又は切り信号を、始点取得トリガー信号又は終点取得トリガー信号として利用することで、基準ラインの位置情報を取得する構成としたことにより、基準ラインの位置情報を圃場外において誤取得することを防止出来る。
【００８８】
なお、第２列目Ｌ２〜第（ｎ＋１）列目Ｌｎ＋１の自動走行経路の算出においては、メモリ部４１０に予め格納されているロボット乗用田植機１の整地ローター４０の左右横方向における整地幅ＷＲ（図２参照）と、重複幅可変ボリューム４３（図３参照）により予め設定された整地幅の縁部同士の重なり代の寸法（プラス方向の設定値と、ゼロの設定値と、マイナス方向の設定値を含む）と、上記演算によりメモリ部４１０に格納されている圃場５００の形状情報から得られる第１直線５２１と第３直線５２３との間の距離等が利用される。
【００８９】
重複幅可変ボリューム４３（図３参照）は、操縦ハンドル２４の下方の各種操作ボタン（図示省略）の近傍に配置されており、隣り合う列における整地ローター４０の整地幅ＷＲの重なり代の寸法を、作業者が手動で調整するためのボリューム式のスイッチである。重複幅可変ボリューム４３を基準位置（ゼロ位置）から時計回りの方向に回すと整地幅ＷＲの重なり代の寸法がゼロからプラス方向に次第に増加し、反時計回りの方向に回すと、整地幅ＷＲの重なり代の寸法がゼロからマイナス方向に次第に増加、即ち、整地幅ＷＲの縁部同士に隙間が生じてその隙間が次第に増加する様に設定可能となっている。
【００９０】
これにより、重複幅可変ボリューム４３により、整地幅ＷＲの重なり代の寸法を、ゼロを基準として、プラス方向にもマイナス方向にも自由に調整出来るので、圃場の状況に応じて、重複幅可変ボリューム４３をプラス方向に調整すれば、未整地領域の発生が防止出来て圃場の整地性が向上し植付精度が向上すると共に、圃場内の水が均一に供給され易くなるため苗の生育にムラが生じ難くすることが出来、また、重複幅可変ボリューム４３をマイナス方向に調整すれば、整地幅ＷＲの縁部が重なり合う場合に比べて、隣り合う列間の隙間が広くなり、風通しが良くなって苗の生育の向上を図れる。
【００９１】
また、第２列目Ｌ２〜第（ｎ＋１）列目Ｌｎ＋１の自動走行経路の算出の結果、第（ｎ＋１）列目Ｌｎ＋１の植付幅のスペースが狭くなり、８条分の植付幅が確保出来ないと制御部４００により判定された場合、制御部４００は、各列の間隔を、重複幅可変ボリューム４３により作業前に事前に設定された設定値を基準とした設定幅より所定範囲内において狭くした変更幅を利用して調整する。その場合、制御部４００は、メータパネル６０に、各列の間隔が変更幅により調整された旨を表示する。
【００９２】
これにより、植付装置５０の植付具５１による植付作業を部分的に入り切りする部分クラッチ（図示省略）等の機構を備えることなく、第２列目Ｌ２〜第（ｎ＋１）列目Ｌｎ＋１の全ての列において８条植えを行うことが出来て、部品点数の削減や、製造コストの低減を図ることが出来る。
【００９３】
なお、第２列目Ｌ２〜第（ｎ＋１）列目Ｌｎ＋１の自動走行経路の算出の結果、第（ｎ＋１）列目Ｌｎ＋１の植付幅のスペースが８条分の植付幅より広くなると制御部４００により判定された場合、制御部４００は、各列の間隔を、重複幅可変ボリューム４３により作業前に事前に設定された設定値を基準とした設定幅より所定範囲内において広くした変更幅を利用して調整する。その場合、制御部４００は、メータパネル６０に、各列の間隔が変更幅により調整された旨を表示する。
【００９４】
次に、制御部４００において、枕地における整地ローター４０による整地幅の範囲内で自動旋回が出来る様にするために旋回幅をも考慮して、第１植付開始ラインＬＵ１と第２植付開始ラインＬＵ２とを適切に設定する構成と、それを利用した旋回動作について説明する。
【００９５】
即ち、制御部４００は、演算部４２０において、メモリ部４１０に格納されている圃場５００の形状情報から得られる第４直線５２４の位置情報を基準として、第２辺５０２側にロボット乗用田植機１の整地幅ＷＲ（図２参照）に所定の余裕幅Ｗαを加算した距離分だけ離れた位置（図４参照）に、上述した第１植付開始ラインＬＵ１を設定し、その第１植付開始ラインＬＵ１の位置情報をメモリ部４１０に格納する。
【００９６】
また、制御部４００は、演算部４２０において、メモリ部４１０に格納されている圃場５００の形状情報から得られる第２直線５２２の位置情報を基準として、第４辺５０４側にロボット乗用田植機１の整地幅ＷＲ（図２参照）に所定の余裕幅Ｗαを加算した距離分だけ離れた位置（図４参照）に、上述した第２植付開始ラインＬＵ２を設定し、その第２植付開始ラインＬＵ２の位置情報をメモリ部４１０に格納する。
【００９７】
ここで、所定の余裕幅Ｗαは、例えば、各列の始端又は終端に植え付けられる苗と、枕地の左右幅方向の端（図４では、走行方向を基準として右端）に植え付けられる苗との間隔（例えば、約３０ｃｍ）を確保するため等に設定されるものであり、ボリューム等により変更可能に構成されている。
【００９８】
また、本実施の形態では、操舵モータ２１０によるハンドル切れ角を最大切れ角に設定した場合のロボット乗用田植機１の旋回幅ＷＴ（図４参照）が、整地幅ＷＲより小さくなる様に構成されている。更にまた、制御部４００は、自動運転モードが「入り」状態である場合、自動操舵装置２００に対して自動旋回を行わせる際に、操舵モータ２１０によるハンドル切れ角を最大切れ角に設定する様に構成されている。
【００９９】
これにより、ロボット乗用田植機１が、例えば、第２列目Ｌ２の目標ライン上を自動植付作業と整地作業を伴う自動直進走行をして、植付具５１の植付位置が第２植付開始ラインＬＵ２に到達したと制御部４００が判定すると、制御部４００は、整地ローター４０による整地動作を停止させ上昇させ、且つ植付装置５０による植付動作を停止させ上昇させると共に、自動操舵装置２００に対して操舵モータ２１０によるハンドル切れ角を最大切れ角に設定させて、第３列目Ｌ３の目標ラインに移動すべく略９０°旋回を行わせる。そして制御部４００は、更に、隣り合う目標ライン同士の間隔に応じて予めメモリ部４１０に記録されている所定の直線距離だけ第２植付開始ラインＬＵ２に平行に直進走行させる。そして制御部４００は、最後に再び、自動操舵装置２００に対して操舵モータ２１０によるハンドル切れ角を最大切れ角に設定させて、第３列目Ｌ３の目標ライン上に移動させ、第２植付開始ラインＬＵ２において、植付装置５０と整地ローター４０を降下させると共に、自動植付作業と整地作業を伴う自動直進走行を開始させる。
【０１００】
なお、ロボット乗用田植機１が、例えば、第３列目Ｌ３の目標ライン上を自動植付作業と整地作業を伴う自動直進走行をして、植付具５１の植付位置が第１植付開始ラインＬＵ１に到達したと制御部４００が判定した場合も、上記と同様の旋回動作を行う。
【０１０１】
以上のことから本実施の形態では、枕地における整地ローター４０による整地幅の範囲内で自動旋回が行われるので、旋回開始位置周辺での未整地且つ未植付領域の発生を防止すると共に自動植付の精度向上を図ることが出来る。
【０１０２】
なお、ここで、旋回開始位置周辺での未整地且つ未植付領域の発生を防止することについて、更に説明する。
【０１０３】
上記構成とは異なる別のロボット乗用田植機において、枕地における整地ローター４０の整地幅ＷＲよりも旋回幅ＷＴの方が大きい場合の旋回動作を、図４を用いて説明すると次の通りである。
【０１０４】
即ち、例えば、第２列目Ｌ２の目標ライン上を自動直進走行した後、第２辺５０２の畦に干渉しない様に旋回させるためには、上述した第２植付開始ラインＬＵ２の所定距離手前の位置から植付作業を停止させて自動旋回を開始する必要がある。そのため、最後に行う枕地の植付作業が完了した時点において、枕地に植え付けられた８条植えの両端の苗の内、第２植付開始ラインＬＵ２側の苗と、第２列目Ｌ２の最後に植え付けられた苗との間には、上述した様に所定距離手前の位置から植付作業を停止させて自動旋回を開始させているので、その所定距離に対応する領域は、苗の植付が行われておらず、且つ、整地も行われていない領域として残る。そのため、その様な領域については、作業者が手作業で苗を植付けるが、未整地状態であるので、植付作業の前に整地作業も手作業で行う必要があり作業効率が低下する。
【０１０５】
これに対して、上述した様な本実施の形態のロボット乗用田植機１の構成によれば、この様な作業効率の低下を防止出来るものである。
【０１０６】
以上の様にして、制御部４００は、第２列目Ｌ２〜第ｎ列目Ｌｎにおける自動直進走行に必要な目標ラインの位置情報と、第２列目Ｌ２〜第ｎ列目Ｌｎにおける植付開始と植付停止の基準位置の設定に必要な、換言すれば、植付開始位置に対応した旋回終了位置と植付停止位置に対応した旋回開始位置の基準位置の設定に必要な、第１植付開始ラインＬＵ１（これを第１旋回基準ラインとも称す）と第２植付開始ラインＬＵ２（これを第２旋回基準ラインとも称す）とを設定し、メモリ部４１０に格納する。
【０１０７】
なお、上記実施の形態では、第２列目Ｌ２〜第（ｎ＋１）列目Ｌｎ＋１の自動走行経路の算出において、整地ローター４０の左右横方向における整地幅ＷＲ（図２参照）と、重複幅可変ボリューム４３（図３参照）により予め設定された整地幅の縁部同士の重なり代の寸法（プラス方向の設定値と、ゼロの設定値と、マイナス方向の設定値を含む）と、圃場の形状情報等が利用される場合について説明したが、これに限らず例えば、上記項目に加えて、植付装置５０の左右両端に配置された植付具５１間の植付幅ＷＵ（即ち、植付装置５０の左右両端間の植付幅）（図２参照）も利用した構成としても良い。この構成の場合、整地幅ＷＲと植付幅ＷＵとの情報から、整地ローター４０の左右両端部が、平面視で、植付装置５０の左右両端に配置された植付具５１の植付位置を基準として、どれだけ外側に突き出しているかを示す突き出し寸法Ｗｄ（＝（ＷＲ−ＷＵ）÷２）が固定値として特定出来るので、重複幅可変ボリューム４３（図３参照）により整地幅の縁部同士の重なり代の寸法をゼロに設定した際の、隣り合う列の最外位置に植え付けられる苗同士の植付け間隔Ｎｋは、突き出し寸法Ｗｄの２倍として特定することが出来る。
【０１０８】
よって、重複幅可変ボリューム４３（図３参照）により設定された整地幅の縁部同士の重なり代の寸法（プラス方向の設定値と、ゼロの設定値と、マイナス方向の設定値を含む）をＷｋとすると、隣り合う列の最外位置に植え付けられる苗同士の植付け間隔Ｎｋは、２×Ｗｄ−Ｗｋとして表すことが出来るので、作業者が、重複幅可変ボリューム４３により重なり代の寸法Ｗｋを調整することにより、当該植付け間隔Ｎｋ（＝２×Ｗｄ−Ｗｋ＝ＷＲ−ＷＵ−Ｗｋ）をも制御することが可能となる。
【０１０９】
例えば、突き出し寸法Ｗｄが２０ｃｍの固定値である場合、隣り合う列の最外位置に植え付けられる苗同士の植付け間隔Ｎｋを通常の３０ｃｍに設定しようとすれば、重複幅可変ボリューム４３による重なり代の寸法Ｗｋ（＝２×Ｗｄ−Ｎｋ）を１０ｃｍに設定すれば良い。また、例えば、突き出し寸法Ｗｄが２０ｃｍの固定値である場合、隣り合う列の最外位置に植え付けられる苗同士の植付け間隔Ｎｋを通常より広くして５０ｃｍに設定しようとすれば、重複幅可変ボリューム４３による重なり代の寸法Ｗｋを−１０ｃｍに設定すれば良い。即ち、重なり代の寸法Ｗｋを−１０ｃｍに設定した場合、隣り合う列の整地ローター４０による整地幅ＷＲの縁部同士に隙間が生じており、その隙間が１０ｃｍとなり、隣り合う列間の植付け間隔Ｎｋが３０ｃｍより広い５０ｃｍに設定出来て、風通しが良くなって苗の生育の向上を図れる。
【０１１０】
即ち、上記構成の場合、重複幅可変ボリューム４３が、例えば、円柱形状を成した、整地幅の縁部同士の重なり代の寸法Ｗｋ＝０を設定する基準位置に対して時計回り（プラス方向の設定）と反時計回り（マイナス方向の設定）の何れの方向にも回すことが可能なつまみであるとすれば、その重複幅可変ボリューム４３が配置されている操作パネル側には、重複幅可変ボリューム４３の回動軸芯を中心とする円弧状の第１ラインが表記されており、整地幅の縁部同士の重なり代の寸法Ｗｋの数値がその第１ライン上に目盛りとして表示されている。更に、その第１ラインの外周側には、重複幅可変ボリューム４３の回動軸芯を中心とする円弧状の第２ラインが表記されており、隣り合う列の最外位置に植え付けられる苗同士の植付け間隔Ｎｋの数値が、第１ライン上の目盛りと対応付けて第２ライン上に目盛りとして表示されている構成としても良い。また、上記の第１ライン上の目盛りと第２ライン上の目盛りを用いたアナログ表示に代えて、重複幅可変ボリューム４３の設定値をデジタル表示しても良い。  次に、本実施の形態のロボット乗用田植機１の自動運転制御中において、次の１往復の途中で肥料がなくなる状況を回避するための構成と動作を中心に説明する。
【０１１１】
なお、本実施の形態では、上述した様に、圃場５００の第４辺５０４側の畦が苗や肥料の補給作業を行うものであることが、設定スイッチにより事前に設定されてメモリ部４１０に記録されているものとする。
【０１１２】
即ち、施肥装置３から圃場に繰り出される肥料を検知する肥料繰出量検知センサ８２（図３参照）を設け、制御部４００が、その検知結果から施肥量を積算すると共にホッパーにおける肥料残量を算出する構成とし、制御部４００は、第２列目Ｌ２〜第ｎ列目Ｌｎの内の奇数列目の自動直進走行中において、機体が第１植付開始ラインＬＵ１（第１旋回基準ライン）（図４参照）に接近し次の旋回動作に入る直前の時点で算出した肥料残量と、肥料繰出量と、１往復の距離と、車速とから、次の旋回動作の後の１往復の自動走行の途中、換言すれば、次の旋回動作の後、機体が次に第１植付開始ラインＬＵ１（第１旋回基準ライン）（図４参照）に達するまでの走行途中において、肥料が無くなるか否かを判定する。
【０１１３】
即ち、制御部４００は、次の１往復の途中で肥料がなくなるものと判定した場合、次の旋回を中止し、そのまま、第４辺５０４に向けて直進走行して、第１植付開始ラインＬＵ１（第１旋回基準ライン）に到達した後、車速を減速させて第４辺５０４の畦際で停止させる。
【０１１４】
これにより、次の１往復の植付工程の途中で肥料切れになることが回避出来るので、第４辺５０４の畦際で停止しているロボット乗用田植機１に対して、作業者は、ホッパー３への肥料補給を迅速に行えて、作業効率の向上を図ることが出来る。なお、肥料補給作業の後、作業者が、自動運転継続スイッチ（図示省略）をＯＮすることにより、ロボット乗用田植機１に対して、自動運転制御を継続させることが出来る。
【０１１５】
また、第１植付開始ラインＬＵ１（第１旋回基準ライン）に到達した後、車速を減速させて第４辺５０４の畦際で停止させる構成としたことにより、作業者が乗車している場合の安全が確保出来る。
【０１１６】
なお、上記説明では、制御部４００は、次の１往復の途中で肥料がなくなる状況を回避するための構成と動作について説明したが、これに限らず例えば、次の１往復の途中で苗タンク５２上の苗がなくなり欠株となる状況を回避するために、上記と同様、制御部４００は、次の１往復の途中で苗タンク５２上の苗がなくなるものと判定した場合、次の旋回を中止し、そのまま、第４辺５０４に向けて直進走行して、第１植付開始ラインＬＵ１（第１旋回基準ライン）に到達した後、車速を減速させて第４辺５０４の畦際で停止させる構成としても良い。
【０１１７】
ここで、次の１往復の途中で苗タンク５２上の苗がなくなるか否かの判定は、株間、植付具５１の苗取り量、苗タンク５２の横送り量等の各データをメモリ部４１０に記録することにより、苗タンク５２上にある苗の残量で、次の１往復での植付作業が可能かどうかを制御部４００が判定する。
【０１１８】
これにより、次の１往復の植付工程の途中で苗切れになることが回避出来るので、第４辺５０４の畦際で停止しているロボット乗用田植機１に対して、作業者は、苗タンク５２への苗補給を迅速に行えて、作業効率の向上を図ることが出来る。なお、苗補給作業の後、作業者が、自動運転継続スイッチ（図示省略）をＯＮすることにより、ロボット乗用田植機１に対して、自動運転制御を継続させることが出来る。
【０１１９】
また、上記説明では、制御部４００は、次の１往復の途中で肥料がなくなる状況を回避するための構成と動作について説明したが、これに加えて、肥料補給作業のタイミングで、補助苗の補給作業も連動させて行う構成としても良い。即ち、この構成の場合、次の１往復の植付工程の途中で肥料切れになるものと制御部４００が判定したことにより、ロボット乗用田植機１が第４辺５０４の畦際で停止すると、それに連動して制御部４００からの指令により自動的にレール状態になる電動補助苗枠が設けられている。また、電動補助苗枠は、手動操作により元に戻すことが出来て、元に戻すことにより、制御部４００は、ロボット乗用田植機１に対して、自動運転制御を継続させることが出来る。
【０１２０】
これにより、通常、肥料補給のタイミングで補助苗も補給することが多いので、双方の補給作業を連動させて行わせることにより、作業効率の向上を図ることが出来る。
【０１２１】
また、上記構成では、制御部４００は、次の１往復の途中で苗タンク５２上の苗がなくなるものと判定した場合、次の旋回を中止し、そのまま、第４辺５０４の畦際まで直進走行させて停止させる場合について説明した。この構成の場合、第４辺５０４に向けて直進走行して、第１植付開始ラインＬＵ１（第１旋回基準ライン）に到達した後、減速させながら９０°旋回させて機体が第４辺５０４の畦に平行になった状態を苗供給位置として停止させる構成としても良い。また、この構成の場合、苗タンク５２の上部にレール状補助苗枠を備え、苗供給位置は、当該レールが畦まで届く位置で設定する。
【０１２２】
なお、上記実施の形態では、圃場５００の枕地をマニュアル走行することにより、圃場５００の形状情報を取得する場合について説明したが、これに限らず例えば、圃場５００の形状情報として、予め取得されている地図情報や、トラクター等による走行情報を記録させて用いても良い。
【０１２３】
また、上記実施の形態では、第（ｎ＋１）列目Ｌｎ＋１の８条の植付を確保するために、制御部４００が、各列の間隔を、重複幅可変ボリューム４３により作業前に事前に設定された設定値を基準とした設定幅から変更幅に自動的に変える構成について説明したが、これに限らず例えば、第ｎ列目Ｌｎと第（ｎ＋１）列目Ｌｎ＋１の最外位置に植え付けられる隣り合う苗同士の植付け間隔Ｎｋのみ変更すれば、第（ｎ＋１）列目Ｌｎ＋１の８条の植付を確保することが可能であると制御部４００が判定した場合は、第ｎ列目Ｌｎと第（ｎ＋１）列目Ｌｎ＋１の最外位置に植え付けられる隣り合う苗同士の植付け間隔Ｎｋのみ設定幅から変更幅に変更する構成としても良い。
【０１２４】
また、上記実施の形態では、任意の目標ライン上から自動旋回により隣の目標ラインに移動する場合に、隣り合う目標ライン同士の間隔に応じて予めメモリ部４１０に記録されている所定の直線距離だけ第１植付開始ラインＬＵ１に、又は第２植付開始ラインＬＵ２に平行に直進走行させる構成について説明したが、これに限らず例えば、メモリ部４１０に記録されている所定の直線距離を作業者がボリューム操作により微調整出来る構成としても良い。これにより植付開始位置の精度の向上が図れる。
【０１２５】
また、上記実施の形態では、作業者がＤ工程５１４をマニュアル走行する際は、整地ローター入／切スイッチ４２は、「切り」状態に設定されているものとして説明したが、これに限らず例えば、自動運転モードが「入り」状態であって、作業者は、Ｄ工程５１４においてマニュアル走行を開始するときに、整地ローター入／切スイッチ４２を「入り」操作し、Ｄ工程５１４においてマニュアル走行を停止するときに、整地ローター入／切スイッチ４２を「切り」操作する構成としても良い。
【０１２６】
この構成の場合、上記構成例と同様に、制御部４００は、整地ローター入／切スイッチ４２の「入り」信号と「切り」信号を、それぞれ始点取得トリガー信号、終点取得トリガー信号であると判定して、それぞれの判定に基づいて、そのときの受信アンテナ３１０の位置の最新の位置情報を、Ｄ工程アンテナ始点の位置情報（座標値）、Ｄ工程アンテナ終点の位置情報（座標値）としてそれぞれメモリ部４１０に記録し、且つ、そのときの整地ローター４０のローター４１の左端部（ことを第４辺始点と称す）の位置情報（座標値）とロボット乗用田植機１の左前端仮想点（これを第４辺終点と称す）の位置情報（座標値）とを演算させてメモリ部４１０に記録する構成としても良い。これにより、第４直線５２４を、第４辺始点と第４辺終点とを通る直線として決定することが出来て、その位置情報を求めることが出来る。また、この構成の場合、制御部４００は、Ｄ工程５１４のマニュアル走行におけるＤ工程アンテナ始点の位置情報（座標点）と、Ｄ工程５１４のマニュアル走行におけるＤ工程アンテナ終点の位置情報（座標点）とを利用して、第４辺５０４に沿った枕地を自動走行する際に利用する第４辺の枕地の基準ラインを算出しメモリ部４１０に記録する構成としても良い。
【０１２７】
また、上記実施の形態では、第２列目Ｌ２以降の自動走行は、ロボット乗用田植機１の直前の列における実際の走行軌跡に関係なく、目標ラインの位置情報を基準として自動走行する構成について説明したが、これに限らず例えば、ロボット乗用田植機１の直前の列における実際の走行軌跡の位置情報をメモリ部４１０に記録させ、直前の列に対応する目標ラインとその実際の走行軌跡とのズレ量を演算させ、その演算結果が所定範囲を超えていると制御部が判定した場合は、制御部は、そのズレの位置と演算結果（ズレ量）とに基づいて、次の列に対応する目標ラインの位置情報を修正した上で、次の列の自動走行を実行させる構成としても良い。
【０１２８】
また、上記実施の形態では、苗補給や肥料補給が必要な場合に、次の旋回を中止し、そのまま、第４辺５０４に向けて直進走行させ畦際で停止させる構成について説明したが、これに加えて例えば、エラーが発生したと、制御部４００が判定した場合には、安全性の確保のために、第４辺５０４の畦際まで戻ってくる構成としても良い。
【０１２９】
また、制御部４００は、自動運転モード状態で自動走行中において、エラーが発生したと判定した場合には、警告音を鳴らして停車させ、警告音が鳴っている間に手動操作に変更した場合、手動操作を優先させる構成としても良い。
【０１３０】
また、ロボット乗用田植機１において、人が乗車していることを検知するセンサを備え、当該センサにより人が乗車していると検知した場合には、安全性の確保のために、制御部４００は、旋回速度を無人の場合に比べて遅くさせる構成としても良い。
【０１３１】
また、ロボット乗用田植機１において、フロート５３の泥押し検知装置として、フロート５３のリンク支点部に圧力センサ（図示省略）を設け、その検知結果から、泥押しにより圧力値が高くなったと判定された場合は、フロート５３の感度を、標準から敏感側に変更する構成としても良い。これにより、自動で感度調節が行える。
【０１３２】
また、ロボット乗用田植機１において、フロート５３の泥押し検知装置として、フロート５３のリンク支点部の後方に、バネ鋼とリミットスイッチ（図示省略）を設け、フロート５３が泥押しされたときには、バネ鋼の復元力に対抗してリンク支点部が標準位置より後方に移動することでリミットスイッチがＯＮし、泥押しの無いときは、バネ鋼の復元力によりリンク支点部が標準位置に戻り、リミットスイッチがＯＦＦする構成としても良い。これにより、高額の圧力センサを用いずにメカ式の構成により自動感度調節が行える。
【０１３３】
また、ロボット乗用田植機１において、水管理をしやすくするために、植付時は端条外側に溝堀りを行う構成としても良い。この構成の場合、前板ガード部の一部に溝きり機構を設けることで、植付と同時に溝きりを行うことが出来る。
【０１３４】
また、ロボット乗用田植機１において、水管理をしやすくするために、植付時は端条外側に溝堀りを行う構成としても良い。この構成の場合、フロート５３の一部に溝きり機構を設けることで、植付と同時に機体外側の溝きりを行うことが出来る。
【０１３５】
また、ロボット乗用田植機１において、前板ガード部に溝堀り機を設け、Ａ工程５１１〜Ｄ工程５１４の全周をマニュアル走行によりティーチングする際、畦と植付条の間に溝を掘ることで、ケラや鼠の被害を少なくし、雑草が圃場に入ってこない様にする構成としても良い。これにより、苗の生育ムラを避け、収量を上げることが出来る。また、後の生育管理（給排水、中干し）が楽になる。
【０１３６】
また、ロボット乗用田植機１において、前板ガード部に溝堀り機を設けると共に、畦の判別用として画像認識装置を設け、土畦など特に境界が曖昧（不連続）である場合に、畦と植付条の間に溝を掘る構成としても良い。これにより、苗の生育ムラを避け、収量を上げることが出来る。また、後の生育管理（給排水、中干し）が楽になる。
【０１３７】
また、植付部の高さ制御装置を備えたロボット乗用田植機１において、溝堀り機を植付部に設け、植付部をより下げると溝の深さが深くなり植付部をより上げると溝の深さは浅くなるので、水口の排水側に向かって、徐々に植付部を下げることで溝の高度が下がる様に溝きりを行う構成としても良い。この構成の場合、水口（給水側、排水側）の位置情報を事前に設定し、位置情報取得装置３００により取得されるロボット乗用田植機１の位置情報を利用して、溝きりの適正化を図ることが出来る。これにより、排水性が向上し苗の生育が安定する。
【０１３８】
また、ローリング制御機構を備えたロボット乗用田植機１において、溝堀り機を設け、水口の排水側に向かって、溝の高度が下がる様に溝きりを行う構成としても良い。この構成の場合、水口（給水側、排水側）の位置情報を事前に設定し、位置情報取得装置３００により取得されるロボット乗用田植機１の位置情報を利用して、ローリングによる車体の左右方向への傾斜角度を制御することで、溝の高度を変化させて溝きりの適正化を図ることが出来る。これにより、排水性が向上し苗の生育が安定する。
【０１３９】
また、上記実施の形態では、ｐＨ測定器８０（図３参照）による圃場のｐＨ値（水素イオン指数）の測定結果から、覆土の量を調整する構成について説明したが、これに限らず例えば、イオン化傾向の測定に加えて、同時にｐＨ値の測定も行うこととし、制御部がｐＨ値に応じて土壌の排水性を推算し、排水性が悪い場所では、還元作用によりアルカリ化している点や施肥効果が薄い点等を考慮して、制御部が施肥量を標準量に比べて少なく設定する構成としても良い。これにより、可変施肥の効率を向上させることが出来る。また、この構成の場合、ｐＨ測定器電極を電気抵抗値の測定機構と共用する構成としても良い。
【０１４０】
また、上記実施の形態では、本発明の作業車両は、作業装置の一例として植付装置５０が走行車体２に連結されたロボット乗用田植機である場合について説明したが、これに限らず例えば、本発明の作業車両は、作業装置の他の例として播種機を連結したロボット作業車両であっても良い。この構成の場合、圃場のｐＨ値を測定することで制御部が排水性を推算し、それに応じて制御部が覆土を変化させる構成としても良い。具体的には、排水性が悪いと制御部により判定された場所では、覆土を標準量に比べて少なくするよう制御する構成としても良い。これにより、苗立ち性の向上が図られる。
【０１４１】
また、上記実施の形態では、本発明の作業車両は、作業装置の一例として植付装置５０が走行車体２に連結されたロボット乗用田植機である場合について説明したが、これに限らず例えば、本発明の作業車両は、作業装置の他の例として播種機を連結したロボット作業車両であっても良い。この構成の場合、圃場のｐＨ値を測定することで制御部が排水性を推算し、それに応じて制御部が溝きりを変化させる構成としても良い。具体的には、排水性が悪いと制御部により判定された場所では、溝きりを標準量に比べて深くするよう制御する構成としても良い。これにより、苗立ち性の向上が図られる。
【０１４２】
また、上記実施の形態では、ｐＨ測定器８０（図３参照）による圃場のｐＨ値（水素イオン指数）の測定結果から、覆土の量を調整する構成について説明したが、これに限らず例えば、ｐＨ測定器によりｐＨ値の測定を行うことで排水性を推定し、その推定結果に応じて（例えば、排水性の良い場所では施肥量を標準量に比べて多くする）、可変施肥を行う構成としても良い。これにより高額なセンサ類を備えなくても、安価に可変施肥を実現出来る。
【０１４３】
また、上記実施の形態では、ｐＨ測定器８０）（図３参照）による圃場のｐＨ値（水素イオン指数）の測定結果から、覆土の量を調整する構成について説明したが、これに限らず例えば、リンクセンサが検出するリンク角度に応じて耕深（圃場の深さ）を計り、それに応じて（例えば、浅い場所では施肥量を標準量に比べて多くする）、可変施肥を行う構成としても良い。なお、この構成の場合、本来、植付装置５０の高さを検出するために、フロート５３を支持する回動支点のリンク角度を検出するリンクセンサが設けられており、そのリンクセンサの検出結果を、本来の役割以外に可変施肥の実現にも兼用している。これにより高額なセンサ類を新たに備えなくても、安価に可変施肥を実現出来る。
【０１４４】
また、上記実施の形態のロボット乗用田植機１において、地形データと衛星画像データと土質分布データから、制御部が、その圃場が灰色低地土、黄色土、グライ土の何れに当てはまるかを分類し、黄色土に分類されると判定した場合は、肥料を基本設定値より多くし、グライ土に分類されると判定した場合は、浅植え、作溝を行う構成としても良い。通常、黄色土は養分が流れやすく、グライ土の場合は、土中での養分の透過率が悪いという傾向にあるが、上記構成によれば、土の状態により植付作業を変えることで、ノウハウが無い状態からでも収量を増やすことが出来る。
【０１４５】
また、上記実施の形態のロボット乗用田植機１において、地形データと衛星画像データとによって分類された土質分布と、実際撮影された圃場の土画像とから、制御部が、その圃場土質が灰色低地土、黄色土、グライ土の何れに当てはまるかを分類し、黄色土に分類されると判定した場合は、肥料を基本設定値より多くし、グライ土に分類されると判定した場合は、浅植え、作溝を行う構成としても良い。通常、黄色土は養分が流れやすく、グライ土の場合は、土中での養分の透過率が悪いという傾向にあるが、上記構成によれば、土の状態により植付作業を変えることで、ノウハウが無い状態からでも収量を増やすことが出来る。
【０１４６】
また、上記実施の形態のロボット乗用田植機１において、実際撮影された圃場の土画像から、制御部が、その圃場土質が灰色低地土、黄色土、グライ土の何れに当てはまるかを分類し、黄色土に分類されると判定した場合は、肥料を基本設定値より多くし、グライ土に分類されると判定した場合は、浅植え、作溝を行う構成としても良い。通常、黄色土は養分が流れやすく、グライ土の場合は、土中での養分の透過率が悪いという傾向にあるが、上記構成によれば、土の状態により植付作業を変えることで、ノウハウが無い状態からでも収量を増やすことが出来る。
【０１４７】
また、自律直進田植機において、学習機会として、ティーチング時の操舵を利用し、想定される出力と実出力が同じで実入力が異なる場合、その時センシングしたパラメータで寄与率が高いものを取り上げ、同一圃場での制御パラメータとして重みを多くつける構成としても良い。通常、学習を人工知能まかせにするとデータ量が必要となり時間がかかるが、上記構成によれば、ティーチング時の操舵を利用しながら、学習速度を速めることが出来る。
【０１４８】
また、上記のロボット乗用田植機１において、畦の自動検知としてエアブローを行いながら、カメラ撮影することで、雑草などによるノイズを除去しやすくする構成としても良い。通常、静止している物体は障害物として認識してしまうが、上記構成によれば、ノイズを低減し、畦の自動検知を行うことが出来る。また、エアブローに代えて、エンジンの排気方向を畦に向ける構成としても良い。これにより、ブロアを新たに設けることなく、撮影時のノイズを低減出来る。
【０１４９】
また、上記のロボット乗用田植機１において、超音波センサを用いて畦の検出を行う構成としても良い。この構成の場合、サイドマーカー位置に当該センサを設け、植付圃場との距離の違いから畦を検出する構成であり、また、機体姿勢の変化によって検出値の補正を行う構成である。これにより、地形をマッピングしていくことが出来る。
【０１５０】
また、自律直進制御において、スリップ率と耕深によってアウトプットを変化させる旋回装置を備え、衛星測位システムと耕深センサ（昇降リンク角度センサ）を用いて経路からのズレとそれに対する出力とともにデータを収集し、その相関の強さを算定し、相関の強いデータと出力とを紐付ける構成としても良い。これにより、圃場状態によって直進性に差が生じることなく、直進制御を行える。
【０１５１】
また、自律直進制御において、走行速度によってアウトプットを変化させる旋回装置を備え、走行速度の速い場合は旋回出力を小さくし、遅い場合は旋回出力を大きくし、重み付けは、衛星測位システムによる経路からのズレとそれに対する出力とともに収集した速度データにより決定する構成としても良い。これにより、速度以外の状況によっても左右される重み付け値を一律に固定してしまうことが無いので多様な状況にも適応出来て、圃場状態によって直進性に差が生じることなく、直進制御を行える。
【０１５２】
また、自律直進制御において、各種条件によってアウトプットを変化させる旋回装置を備え、衛星測位システムによる経路からのズレとそれに対する出力とともに収集したデータ（速度、圃場スリップ率、耕深）によって、相関の高さによってデータに重み付けをし、重み付け値は、圃場情報としてメモリ部に記録する構成としても良い。これにより、重み付け値が一定値になることがないので多様な状況にも適応可能となり、圃場状態によって直進性に差が生じることなく、直進制御を行える。
【０１５３】
また、上記のロボット乗用田植機１において、植付時の圃場データ（速度、圃場スリップ率、耕深）と植付データ（植付株数、苗取り量、植付深さ）を記録し、衛星画像での実り具合や収量コンバインによる計量結果との相関を探り、最も相関の高いデータを割り出し、植付条件を最適化する構成としても良い。これにより、圃場状態によらず最適条件で植付が出来ると共に、過学習を回避することが出来る。
【０１５４】
また、上記実施の形態では、本発明の作業車両の一例として８条型のロボット乗用田植機１について説明したが、これに限らず例えば、４条植え、５条植え、或いは６条植え等の構成であっても良く、条数に限定されない。
【産業上の利用可能性】
【０１５５】
本発明によれば、整地装置による未整地領域の有無を事前に把握することが出来、例えば、ロボット乗用田植機等として有用である。
【符号の説明】
【０１５６】
１    ロボット乗用田植機
２    走行車体
２４  操舵ハンドル
４０  整地ローター
４３  重複幅可変ボリューム
３００  位置情報取得装置
４００  制御部
【図１】
2020174676.tif 000003
【図２】
2020174676.tif 000004
【図３】
2020174676.tif 000005
【図４】
2020174676.tif 000006
【図５】
2020174676.tif 000007